(57)【要約】【課題】    臨時動作モードの設定後そのまま放置されて電源がオフされると、次に電源をオンしたときに、臨時動作モードとその前に設定していた通常動作モードとを同時に表示することにより、いずれかをユーザが選択できるようにする。【解決手段】    ＴＶ機器は、リモコンによりモニタ上に動作モード設定画面を呼び出して動作モードを設定する。通常動作モードから臨時動作モードに変更されて通常動作モードに戻されることなく電源がオフされ、その後に電源がオンされると、変更前後の通常動作モードと臨時動作モードのいずれか一方を選択可能にするようそれらの動作モードをモニタに出力する。【選択図】  図２
2008283447.tif 000002
【特許請求の範囲】
【請求項１】
電子機器本体の動作モードを設定する操作部と、
前記操作部で設定された動作モードを表示する表示器と、
前記操作部で設定された動作モードに基づいて電子機器本体の動作を制御する制御部とを備える電子機器において、
前記制御部は、前記操作部により動作モードが通常状態の動作モードである通常動作モードから一時的な臨時動作モードに変更され、且つ前記臨時動作モードに変更されてから前記通常動作モードに戻されることなく電源がオフされると、その後に電源がオンされたときに変更前後の通常動作モードと臨時動作モードのいずれか一方を選択可能にするようそれらの動作モードを前記表示器に出力する動作モード選択状態に設定することを特徴とする電子機器。
【請求項２】
前記制御部は、前記動作モード選択状態において臨時動作モードが選択されると、前記通常動作モードを破棄する、請求項１記載の電子機器。
【請求項３】
前記制御部は、前記操作部により臨時動作モードに変更されてから所定期間が経過するまでに該モードが変更されないときは、該臨時動作モードを通常動作モードとして設定する、請求項１又は２記載の電子機器。
【請求項４】
前記操作部は、さらに、前記所定期間を設定する請求項１〜３のいずれかに記載の電子機器。
【請求項５】
ＴＶ放送信号を受信して所望のチャンネルの信号を選択するチューナと、
前記チューナで選択された信号を復調した後に音声信号と映像信号に分離して、それぞれスピーカと表示器に出力する信号処理回路と、
前記映像信号に動作モード表示信号を重畳するＯＳＤ回路と、
チャンネル、音量、動作モードを設定するためのリモコンと、
ＴＶ機器本体の制御を行う制御部と、を備え、
前記制御部は、前記操作部により動作モードが通常状態の動作モードである通常動作モードから一時的な臨時動作モードに変更され、且つ前記臨時動作モードに変更されてから前記通常動作モードに戻されることなく電源がオフされると、その後に電源がオンされたときに変更前後の通常動作モードと臨時動作モードのいずれか一方を選択可能にするようそれらの動作モードを前記表示器に出力する動作モード選択状態に設定することを特徴とするＴＶ機器。
【発明の詳細な説明】
【技術分野】
【０００１】
この発明は、スリープタイマモード、パレンタルロックモード等、ユーザが任意に動作モードを設定することの電子機器、例えばＴＶ機器やＤＶＤレコーダ、ＤＶＤプレーヤに関する。
【背景技術】
【０００２】
ＴＶ機器等の電子機器では、ユーザは予め特定の動作モードを操作部において設定できる。例えば、スリープタイマ機能では、スリープタイマボタンを押してから電源がオフされるまでの時間を設定することができ、パレンタルロック機能では、暴力シーン等を含むコンテンツを再生可能とするためのパスワードを設定することができる。
【０００３】
このように、ユーザ側で動作モードを任意に設定することができるようにしておくと、動作モードを通常動作モードから一時的な臨時動作モードに変更した場合、通常動作モードに戻すことを失念する可能性がある。するとユーザは、現在設定している動作モードが一時的な動作モードなのか通常動作モードなのかわからなくなってしまい、モード確認のための操作性を悪くする不都合が生じてくる。
【０００４】
そこで、例えば、特許文献１においては、動作モード（例えば視聴年齢制限）の変更履歴をメモリに記憶しておき、その変更履歴を表示させることにより動作モードが変更されたことをユーザに知らせるようにした装置が提案されている。この装置では、変更履歴を表示させた状態で任意の動作モードを選択すると、その動作モードの設定値を変更前の設定値に自動的に戻す。
【特許文献１】特開２００３−２３５８０号公報
【発明の開示】
【発明が解決しようとする課題】
【０００５】
しかしながら、上記の先行技術では、現時点の動作モードが通常動作モードなのか一時的に変更した臨時動作モードなのかを知るためには、毎回、変更履歴を画面上に表示させなければならず操作が煩雑であった。特に、臨時動作モードを設定して電源をオフしてしまうと、現在の動作モードが通常動作モードなのか臨時動作モードなのかを失念する可能性が高いために、次に電源をオンしたときに動作モードを確認することが必要となり、そのため、電源オンの度に変更履歴を画面上に呼び出す操作が必要であった。
【０００６】
この発明の目的は、臨時動作モードの設定後そのまま放置されて電源がオフされると、次に電源をオンしたときに、臨時動作モードとその前に設定していた通常動作モードとを同時に表示することにより、いずれかをユーザが選択できるようにして、電源オン時において簡単な操作で正しい動作モードが設定することのできる電子機器を提供することにある。
【課題を解決するための手段】
【０００７】
この発明の電子機器は、電子機器本体の動作モードを設定する操作部と、前記操作部で設定された動作モードを表示する表示器と、前記操作部で設定された動作モードに基づいて電子機器本体の動作を制御する制御部とを備えている。
【０００８】
前記制御部は、前記操作部により動作モードが通常状態の動作モードである通常動作モードから一時的な臨時動作モードに変更され、且つ前記臨時動作モードに変更されてから前記通常動作モードに戻されることなく電源がオフされると、その後に電源がオンされたときに変更前後の通常動作モードと臨時動作モードのいずれか一方を選択可能にするようそれらの動作モードを前記表示器に出力する動作モード選択状態に設定する。
【０００９】
動作モードには、通常状態の動作モードである通常動作モードと、一時的に設定される臨時動作モードがある。通常動作モード設定後に臨時動作モードが設定され、その臨時動作モードが、所定期間が経過するまでに維持されると、該臨時動作モードは通常動作モードになる。初期設定された動作モードが所定期間が経過するまでに維持された場合も、上記と同様に、初期動作モードは通常動作モードになる。
【００１０】
臨時動作モードが設定されてから通常動作モードに戻されることなく電源がオフされると、その後に電源がオンされたときに変更前後の動作モード、すなわち、変更前の動作モードである通常動作モードと変更後の動作モードである臨時動作モードとが表示器に表示される。ユーザは、この２つの動作モードが表示されている状態で、いずれか一方の動作モードを選択する。臨時動作モードが選択されると、そのときの通常動作モードが破棄される。通常動作モードが選択されると、その後の動作モードが通常動作モードとなる。
【発明の効果】
【００１１】
この発明によれば、臨時動作モードの設定後そのまま放置されて電源がオフされると、次に電源をオンしたときに、臨時動作モードとその前に設定していた通常動作モードとを同時に表示するため、ユーザは電源オン時に臨時動作モードを設定していたことを簡単に知ることができる。
【発明を実施するための最良の形態】
【００１２】
図１は、この発明の実施形態であるデジタルＴＶ機器の概略構成図である。アンテナ１で受信したＴＶ放送信号は、チューナ２に入力し、ユーザにより選局されたチャンネルの信号が選択される。チューナ２で選択された信号は復調回路で復調し、ＴＳデコーダ回路４で復号して、音声データと映像データに分離する。復号した音声データは音声デコード回路５でデコードされた後に、増幅されてスピーカ７に出力される。復号した映像データはＯＳＤ（Ｏｎ−Ｓｃｒｅｅｎ  Ｄｉｓｐｌａｙ）回路８を介してモニター９に出力される。
【００１３】
ＣＰＵ１０は、全体の制御を行い、メモリ１１には、制御プログラム、表示フォント、処理中の各種データが記憶され、また、メモリ１１は、各種設定データなどを記憶するフラッシュＲＯＭを含んでいる。チャンネル選択やモード設定等を行うリモコン１２はＩ／Ｏ１３を介してＣＰＵ１０に対して操作データを入力する。
【００１４】
前記メモリ１１には、後述のように、ユーザが任意に設定できるＴＶ機器の動作モードを記憶する領域が設けられている。
【００１５】
ＴＶ機器のユーザ設定可能な動作モードには、各種のものがある。例えば、リモコン１２に設けられているスリープタイマボタンを押してから電源がオフされるまでの時間を設定することのできるスリープタイマモードや、暴力シーン等や性的シーン等を含む映像を再生可能とするためのパスワードを設定することができるパレンタルロックモードがある。
【００１６】
ユーザが、所定の操作を行うと、モニター９上に動作モード設定画面が表示される。この画面データは、メモリ１１に予め記憶されており、ＯＳＤ回路８を介してモニター９に出力される。
【００１７】
メモリ１１には、ユーザ設定可能な上記動作モードが記憶される。この動作モードには、通常状態の動作モードである通常動作モードと一時的に設定される臨時動作モードとがある。通常動作モードは、ユーザが最も多く使用するモードで、一般的には初期設定されたモードが所定期間変更されずに維持されたときに設定される。臨時動作モードは、通常動作モードの状態でユーザの意向により一時的に設定されるモードであり、一般的には一時的に利用された後に元の通常動作モードに戻される。
【００１８】
この装置では、リモコン１２により通常動作モードから臨時動作モードに変更され、且つ前臨時動作モードに変更されてから電源がオフされると、その後に電源がオンされたときに、ＣＰＵ１０はＴＶ機器の状態を動作モード選択状態にする。
【００１９】
前記動作モード選択状態においては、変更前後の通常動作モードと臨時動作モードのいずれか一方を選択可能にするようそれらの動作モードをモニタ９に出力する。そこで、ユーザは、このモニタ９の表示画面を見て、リモコン１２を使用して通常動作モードと臨時動作モードのいずれか一方を選択する。また、ＣＰＵ１０は、前記動作モード選択状態において臨時動作モードが選択されると、表示していた通常動作モードを破棄する。
【００２０】
一方、前記ＣＰＵ１０は、リモコン１２により臨時動作モードに変更されてから所定期間が経過するまでにそのモードが変更されないときは、該臨時動作モードを通常動作モードとして設定する。
【００２１】
このように、臨時動作モードが設定されて電源がオフされると、その後にユーザが臨時動作モードに設定したことを失念していても、次に電源がオンされたときには、通常動作モードと臨時動作モードの２つモードが表示されて、どちらかを選択するようユーザに促す。このため、電源がオンされたときには、ユーザが希望する正しい動作モードに設定することができる。
【００２２】
また、臨時動作モードが設定されてから所定期間が経過するまでにそのモードが変更されない場合には、ＣＰＵ１０はその臨時動作モードを通常動作モードに設定する。ユーザが臨時動作モードを所定期間維持する場合は、その臨時動作モードは一時的な動作モードではなく通常動作モードであると考えられる。そこで、ＣＰＵ１０は、上記のように動作モードを制御する。
【００２３】
また、動作モード選択状態において、臨時動作モードが選択されると、ＣＰＵ１０は、その段階で通常動作モードを破棄する。したがって、選択された臨時動作モードがその選択されたときから所定期間変更されずに維持されると、その臨時動作モードは通常動作モードとなる。
【００２４】
図２は、動作モード設定時のモニタ９の表示画面の推移を示している。
【００２５】
画面（Ａ）は、スリープタイマの動作モード設定画面である。この画面は、リモコン１２により、動作モード設定画面を呼び出し、さらに、表示された動作モードの種類の中からスリープタイマを選択したときに表示される。通常は、この操作を行ったときはスリープタイマの通常動作モードか一時的に設定している臨時動作モードが表示される。図示の例では通常動作モードを示している。この場合は、左下の位置に「通常」と表示されている。
【００２６】
画面（Ａ）の状態において、動作モードの変更を行うことができる。リモコン１２により、カーソルＣＳを左右に移動させて「数値」と「分・時」のいずれかを選択し、続いてリモコン１２で数値の入力や「分」又は「時」の選択を行う。すると、画面（Ａ） が画面（Ｂ）に変わる。
【００２７】
画面（Ｂ）は、「１０分」が「１５分」に変更されて臨時動作モードが設定された状態を示している。画面（Ｂ）の状態において、設定ボタン「Ｓ」を押すと、表示されている臨時動作モードが設定される。
【００２８】
画面（Ｃ）は、動作モード選択状態でのスリープタイマの動作モード選択画面である。この画面は、画面（Ｂ）において、リモコン１２により臨時動作モードが設定され、且つその後電源がオフされると、さらにその後に電源がオンされたときに表示される。この画面（Ｃ）では、左側に通常動作モードの内容が、右側に画面（Ｂ）で設定した臨時動作モードの内容がそれぞれ示される。リモコン１２により、カーソルＣＳを左右（図示する例では、「１０分」の位置と「１５分」の位置のいずれか）に移動させてスリープタイマ時間を選択する。その後、設定ボタン「Ｓ」を押すと、選択されている動作モードがその後の動作モードとして設定される。すなわち、通常動作モードが選択されると、臨時動作モードが破棄され、且つ選択された通常動作モードがその後の動作モードとして選択され、臨時動作モードが選択されると、通常動作モードが破棄され、且つ選択された臨時動作モードがその後の動作モードして選択される。
【００２９】
上記所定期間は、図示しない日数設定画面において、ユーザが任意に設定することが可能である。
【００３０】
ＴＶ機器の初期設定を行うときには、初期設定された動作モードが所定期間変更されずに維持されると、その初期設定された動作モードが通常動作モードとなる。また、臨時動作モードが設定されて、そのモードが所定期間変更されない場合にも、該モードが通常動作モードとなる。
【００３１】
次に、上記の動作モード設定時のＣＰＵ１０の動作について図３〜図５のフローチャートを参照して説明する。
【００３２】
図３は日数設定や動作モード設定を行うときの動作を示す。
【００３３】
リモコン１２により動作モード設定画面が呼びされると、モニタ９上には、図示しない設定画面が表示される。このとき、日数設定画面が選択されるとステップＳ１（以下、ステップＳｎを単にＳｎという）→Ｓ２と進み、動作モード設定画面が選択されるとＳ１→Ｓ３→Ｓ４と進む。日数設定画面が選択されると、リモコン１２により入力された日数を記憶領域Ｄに設定する（Ｓ２）。この日数は上記所定期間である。続いて、記憶領域ＤＡＴＥをゼロに設定する（Ｓ５）。
【００３４】
なお、図３の動作は、通常動作モードが既に設定され、その内容が領域ＦＮ０に記憶されているものとする。後述のように、初期設定された動作モードが所定期間変更されずに維持されると、その初期設定動作モードが通常動作モードとなる。
【００３５】
動作モード設定画面が選択されると、通常動作モードへの戻りの操作が行われたかどうかが判定される（Ｓ４）。通常動作モードへの戻りの操作は、その前に臨時動作モードの設定が行われた場合に有効である。その操作が行われると、Ｓ４→Ｓ６と進む。Ｓ６では、フラグＦ＝０に設定する。Ｆ＝０は通常動作モードが選択されている状態、Ｆ＝１は臨時動作モードが選択されている状態を示す。したがって、通常動作モードへの戻りの操作が行われると、Ｆ＝０とし、臨時動作モードが終了して元の通常動作モードに戻される。この状態では、通常動作モードの内容を記憶する領域ＦＮ０は変化しない（Ｓ７）。
【００３６】
Ｓ４で、通常動作モードへの戻りの操作が行われなかった場合は、フラグＦ＝１とし（Ｓ８）、リモコン１２により入力された設定機能（動作モード）が記憶領域ＦＮ１に記憶される（Ｓ９）。フラグＦ＝１は、臨時動作モードが選択されていることを示し、記憶領域ＦＮ１は臨時動作モードの内容を記憶する領域である。
【００３７】
図４は、経過日数を更新するときの動作を示す。
【００３８】
このフローチャートはタイマ割り込みにより一定時間毎に実行される。Ｓ１０ではフラグＦを判定する。Ｆ＝０は通常動作モードが選択されている状態、Ｆ＝１は臨時動作モードが選択されている状態である。Ｆ＝０の場合は何もしない。Ｆ＝１の場合は、現在が日付変更時刻（２４時００分）を過ぎたかどうかを判定する（Ｓ１１）。続いて、ＤＡＴＥ＝ＤＡＴＥ＋１として経過日数を１日増やす。次に、ＤＡＴＥ＞＝Ｄかどうか、すなわち、経過日数が設定日数Ｄ（所定期間）以上であるかどうかを判定する（Ｓ１３）。ＤＡＴＥ＞＝Ｄであれば、Ｆ＝０とし（Ｓ１４）、ＦＮ０＝ＦＮ１とする（Ｓ１５）。領域ＦＮ０は、通常動作モードの内容を記憶する。すなわち、現在選択されている臨時動作モードを通常動作モードに変更し、臨時動作モードの内容を通常動作モードの内容にする。
【００３９】
図５は、電源オン時の動作を示す。
【００４０】
Ｓ２０ではフラグＦを判定する。Ｆ＝０の通常動作モードの場合は何もしない。Ｆ＝１の臨時動作モードの場合、ＦＮ０とＦＮ１の内容を図２の画面（Ｃ）のようにモニタ９に表示する（Ｓ２１）。リモコン１２により通常動作モードが選択されると（Ｓ２２→Ｓ２３）、Ｆ＝０（Ｓ２３）、ＦＮ１＝０（Ｓ２４）に設定する。すなわち、以後の動作を通常動作モードとし、それまで設定していた臨時動作モードを破棄する。一方、リモコン１２により臨時動作モードが選択されると（Ｓ２２→Ｓ２５）、Ｆ＝１（Ｓ２５）、ＦＮ０＝０（Ｓ２６）に設定する。さらに、ＤＡＴＥ＝０に設定する（Ｓ２７）。すなわち、以後の動作をＳ２２で選択した臨時動作モードとし、それまで設定していた通常動作モードを破棄する。また、選択した臨時動作モードについて経過日数をゼロからカウントするための準備を行う。したがって、その臨時動作モードが設定日数が経過するまで変更されなければ、この臨時動作モードは通常動作モードとなる（Ｓ１５）。
【００４１】
以上の動作により、臨時動作モードの設定後そのまま放置されて電源がオフされたとしても、次に電源をオンしたときに、臨時動作モードとその前に設定していた通常動作モードとを同時に表示する。このため、ユーザは電源オン時に臨時動作モードを設定していたことを簡単に知ることができる。また、 その表示状態で、臨時動作モードを選択すると通常動作モードが破棄される。そして、その臨時動作モードが所定期間維持されると、その臨時動作モードは通常動作モードに変更される。
【産業上の利用可能性】
【００４２】
ＴＶ機器、ＤＶＤレコーダ、ＤＶＤプレーヤ、その他、ユーザが設定可能な動作モードを備える全ての電子機器に適用可能である。
【図面の簡単な説明】
【００４３】
【図１】この発明の実施形態であるデジタルＴＶ機器の概略構成図
【図２】動作モード設定時のモニタ９の表示画面の推移
【図３】日数設定や動作モード設定を行うときの動作を示すフローチャート
【図４】日数設定や動作モード設定を行うときの動作を示すフローチャート
【図５】日数設定や動作モード設定を行うときの動作を示すフローチャート
【図１】
2008283447.tif 000003
【図２】
2008283447.tif 000004
【図３】
2008283447.tif 000005
【図４】
2008283447.tif 000006
【図５】
2008283447.tif 000007